(57)【特許請求の範囲】
【請求項１】
発電機の保守点検用作業テーブルに装置を構成する固定型作業テーブル部分（Ａ１）は、その関係部材の製作工場からの運送作業や、その発電所内における組み立て作業に適応させるために、適宜の小区画づつに分割可能に螺装された分割組み立て型の固定円盤が発電所内に設置されている立て軸型水車発電機の固定子側機内の空洞最上部に配置された分割可能な固定型支承体部分（Ｂ１）の上に水平に固着されており、また前記固定型作業テーブル部分（Ａ１）を水平に固着した前記固定型支承体部分（Ｂ１）を前記発電機の固定子側機内の空洞周辺部にある発電機材の保守点検作業の手順に合せて上下方向に任意に昇降させる昇降機構部分（Ｃ）は、その関係部材の製作工場からの運送作業や、その発電所内における組み立て作業に適応させるために、複数台の、且つ複数段積み重ね可能のＸ型支柱タイプの小型油圧リフターからなる小型昇降機を前記発電機の固定子側の底部に位置する水車バレル等の発電所内構築物の上に組み立てた分割可能な駕型の基礎機枠上に分散して配置され、且つその複数台が同時に昇降可能に連装されて前記発電機の固定子側機内の空洞最下部に配置されていることを特徴とする発電機の保守点検用作業テーブル装置。
【請求項２】
発電機の保守点検用作業テーブル装置を構成する回転型作業テーブル部分（Ａ２）は、その関係部材の製作工場からの運送作業や、その発電所内における組み立て作業に適応させるために、適宜の小区画づつに分割可能に螺装された分割組み立て型の回転円盤が発電所内に設置されている立て軸型水車発電機の固定子側機内の空洞最上部に配置されており、また前記回転型作業テーブル部分（Ａ２）を下方から水平に支承しながらこれを前記発電機の固定子側機内の空洞周辺部にある発電機材の保守点検作業の手順に合せて円周方向に回転させる回転型支承体部分（Ｂ２）は、その関係部材の製作工場からの運送作業や、その発電所内における組み立て作業に適応させるために、複数台の小型駆動機を適宜の小区画づつに分割可能に螺装された分割組み立て型の支承盤の上に放射状に分散して配置され、且つその複数台が同時に回転可能に連装されて前記回転型作業テーブル部分（Ａ２）より下方の前記発電機の固定子側機内の空洞中間部に配置されており、更にまた前記回転型作業テーブル部分（Ａ２）と前記回転型支承体部分（Ｂ２）とを上下一体に積み重ねて前記発電機の固定子側機内の空洞周辺部にある発電機材の保守点検作業の手順に合せて上下方向に任意に昇降させる昇降機構部分（Ｃ）は、その関係部材の製作工場からの運送作業やその発電所内における組み立て作業に適応させるために、複数台の、且つ複数段積み重ね可能のＸ型支柱タイプの小型油圧リフターからなる小型昇降機を前記発電機の固定子側の底部に位置する水車バレル等の発電所内構築物の上に組み立てた分割可能な駕型の基礎機枠の上に分散して配置され、且つその複数台が同時に昇降可能に連装されて前記発電機の固定子側機内の空洞最下部に配置されていることを特徴とする発電機の保守点検用作業テーブル装置。
【請求項３】
前記昇降機構部分（Ｃ）を、前記発電機の保守点検作業のための所要昇降ストロークに対応して、複数段の前記小型昇降機を適宜段積み重ねるように構成した請求項１又は２に記載の発電機の保守点検用作業テーブル装置。
【請求項４】
前記昇降機構部分（Ｃ）の、複数段に積み重ねた前記小型昇降機の左右のＸ型支柱の組み付け方向を、各段毎に交互に直交させて全体の揺動現象の拡大を抑制するように構成した請求項１又は２に記載の発電機の保守点検用作業テーブル装置。
【請求項５】
前記回転型支承体部分（Ｂ２）による前記回転型作業テーブル部分（Ａ２）の回転を、前記回転型支承体部分（Ｂ２）の駆動軸に軸装されたゴムタイヤ等の弾力性を有する摩擦駆動輪を適宜上方へ持ち上げる接触調整機構を介して、前記回転型作業テーブル部分（Ａ２）と前記摩擦駆動輪との接触駆動作用を調整可能に構成した請求項２記載の発電機の保守点検用作業テーブル装置。
【発明の詳細な説明】
【０００１】
【発明の属する技術分野】
本発明は、立て軸型水車発電機の現地発電所内における保守点検作業に当り、該発電機を事前に分解して、その回転子側を一旦機外に取り出した後の、残余の固定子側機内の空洞部にこれを取り入れて、その固定子側機内の周辺部一帯の発電機材を点検整備する際の保守点検作業に用いられる、分割組み立て型の作業テーブル装置に関するものである。
【０００２】
【従来の技術】
従来のこの種発電所内における立て軸型水車発電機の保守点検作業は、該発電機を事前に分解して、その回転子側を一旦機外に取り出して空洞状態にされた固定子側機内の底部に位置する水車バレル等の発電所内構築物の上に、先ず基盤用の角材や板材等を多数並べ、更にその上に多数の鉄パイプや踏み板等を任意に連結した足場器材を、前記発電機固定子側の機内空洞部に任意高さに組み立てて仮設した前記足場器材の周辺部の一帯で、多数の作業員が作業手順に合せて器材上に都度上り下りしたり、都度器材の高さを調節したり、作業場所を移動したりして、前記発電機の固定子側機内の周辺部一帯にある多数の発電機材を入念に点検整備する、固定的に仮設された状態での足場器材上からの繁雑困難な保守点検作業を総て人力に依存して行っていたものである。
【０００３】
【発明が解決しよとする課題】
上記従来の発電機固定子側の空洞部に固定的に仮設された状態での足場器材上からの発電機材の保守点検作業は、足場器材の周辺部一帯で多数の作業員が作業手順に合せて器材上に都度上り下りしたり、都度器材の高さを調節したり、作業場所を移動したりして、多数の発電機材の繁雑困難な保守点検作業を総て人力に依存して行わなければならなかったので、作業日時や人手も嵩み、しかも労働環境も悪く、作業能率も極めて低位なものとなっていた重大な不都合があったものを本発明によりこれを総て払拭すべく、この種立て軸型水車発電機の現地発電所内における保守点検作業に当り、該発電機を事前に分解して、その回転子側を一旦機外に取り出した後の、残余の固定子側機内に形成される空洞部内に、本発明になる保守点検用の作業テーブル装置を安全確実に取り入れることができるように、先ず関係部材の製作工場からの運送作業や、その発電所内における組み立て作業における大きさによる障害を排除するために、これを分割組み立て型に構成すると共に、前記発電機固定子側機内の保守点検作業における作業員の器材上への上り下りや、器材の高さを調節したり、作業場所を移動したりする従来の人力に依存していた諸作業を機材化、自動化して、この種発電機の固定子側機内における周辺部一帯の多数の発電機械の保守点検作業における労働環境を大幅に改善して、作業能率の大幅向上と、作業日時の大幅短縮を一挙に図るように構成したものである。
【０００４】
【課題を解決するための手段】
本発明は従来の固定的に仮設された状態での足場器材に起因するこの種発電所内における立て軸型水車発電機の保守点検作業上の重大な不都合を払拭することを目的としたものであって、即ち本発明の立て軸型水車発電機の保守点検用作業テーブル装置の請求項１に記載の主体発明の一つを構成する、『固定状態の作業テーブルを上下方向に昇降させる単一昇降機能の作業テーブル装置』における固定型作業テーブル部分（Ａ１）は、その関係部材の製作工場からの運送作業や、その発電所内における組み立て作業に適応させるために、適宜の小区画づつに分割可能に螺装された分割組み立て型の固定円盤が発電所内に設置されている立て軸型水車発電機の固定子側機内の空洞最上部に配置された分割可能な固定型支承体部分（Ｂ１）上に水平に固着されており、また前記固定型作業テーブル部分（Ａ１）を水平に固着した前記固定型支承体部分（Ｂ１）を、前記発電機の固定子側機内の空洞周辺部にある発電機材の保守点検作業の手順に合せて上下方向に任意に昇降させる昇降機構部分（Ｃ）は、その関係部材の製作工場からの運送作業や、その発電所内における組み立て作業に適応させるために、複数台の、且つ複数段積み重ね可能のＸ型支柱タイプの小型油圧リフターからなる小型昇降機を前記発電機の固定子側の底部に位置する水車バレル等の発電所内構築物の上に組み立てた分割可能な駕型の基礎機枠上に分散して配置され、且つその複数台が同時に昇降可能に連装されて前記発電機の固定子側機内の空洞最下部に配置されておることを特徴とする発電機の保守点検用作業テーブル装置である。
【０００５】
また本発明の立て軸型水車発電機の保守点検用作業テーブル装置の請求項２に記載の主体発明の他の一つを構成する、『円周方向に回転可能な作業テーブルを上下方向にも昇降させる複合回転昇降機能の作業テーブル装置』における回転型作業テーブル部分（Ａ２）は、その関係部材の製作工場からの運送作業や、その発電所内における組み立て作業に適応させるために適宜の小区画づつに分割可能に螺装された分割組み立て型の回転円盤が発電所内に設置されている立て軸型水車発電機の固定子側機内の空洞最上部に配置されており、また前記回転型作業テーブル部分（Ａ２）を下方から水平に支承しながらこれを前記発電機の固定子側機内の空洞周辺部にある発電機材の保守点検作業の手順に合せて円周方位に回転させる回転型支承体部分（Ｂ２）は、その関係部材の製作工場からの運送作業や、その発電所内における組立作業に適応させるために、複数台の、且つ複数段積み重ね可能のＸ型支柱タイプの小型油圧リフターからなる小型駆動機を適宜の小区画づつに分割可能に螺装された分割組み立て型の支承盤上に放射状に分散して配置され、且つその複数台が同時に回転可能に連装されて前記回転型作業テーブル部分（Ａ２）より下方の前記発電機の固定子側機内の空洞中間部に配置されており、更にまた前記回転型作業テーブル部分（Ａ２）と前記回転型支承体部分（Ｂ２）とを上下一体に積み重ねて前記発電機の固定子側機内の空洞周辺部にある発電機材の保守点検作業の手順に合せて上下方向に任意に昇降させる昇降機構部分（Ｃ）は、その関係部材の製作工場からの運送作業や、その発電所内における組み立て作業に適応させるために、複数台の、且つ複数段積み重ね可能のＸ型支柱タイプの小型油圧リフターからなる小型昇降機を前記発電機の固定子側の底部に位置する水車バレル等の発電所内構築物の上に組み立てた分割可能な駕型の基礎機枠の上に分散して配置され、且つその複数台が同時に昇降可能に連装されて前記発電機の固定子側機内の空洞最下部に配置されておることを特徴とする発電機の保守点検用作業テーブル装置である。
【０００６】
【発明の実施の形態】
以下本発明の実施の形態について、図面を参照して説明すれば次の通りであって、図１および図２は本発明の立て軸型水車発電機の保守点検用作業テーブル装置の請求項１に記載の主体発明の一つを構成する、『固定状態の作業テーブルを上下方向に昇降させる単一昇降機能の作業テーブル装置』の実施の一例を示す側面図と平面図である。図中（Ａ１）は固定型作業テーブル部分、（Ｂ１）は固定型支承体部分、（Ｃ）は昇降機構部分、１は立て軸型水車発電機の固定子、２は立て軸型水車の主軸、３は前記立て軸型水車の主軸２の周辺部にコンクリート等で構築されている水車バレルである。また図３および図４は前記水車バレル３等の発電所内構築物の上に組み立てた駕型の基礎機枠４の側面図と平面図である。
【０００７】
次に本発明の固定型装置を構成する前記固定型作業テーブル部分（Ａ１）と固定型支承体部分（Ｂ１）について、図５および図６により更に詳述すれば、一般に既設の水力発電所に設置されている立て軸型水車発電機の中心部にある回転子側を一旦機外に取り出した後の、固定子１側の機内に形成される空洞部の直径の多くは、４ｍ前後のものから７ｍにも及ぶ、かなり長大な寸法の発電機に製作されているものが多いので、上記発電機の固定子１側の機内周辺部にある発電機材を点検整備するために、前記固定型作業テーブル部分（Ａ１）の上に作業員を搭乗させると共に、発電機材の保守点検作業に必要な部品や工具等もその上に搭載しながら所定の作業手順に合せて上下方向に任意に昇降させる、前記固定型作業テーブル部分（Ａ１）の所要のテーブル寸法も、必然的に前記発電機固定子１側の機内空洞部の直径に見合いの、かなり長大な寸法の円盤になり、従って１枚板状の円盤では一般製作工場等で汎用されている荷台幅２．４ｍ程度の１０トン積み普通トラック等を用いた製作工場から現地発電所までの運送作業にも、またその現地発電所における空洞部内への組み立て作業にも、そのままの長大な寸法では多大の困難を生ずる所となるので、その製作段階で固定型作業テーブル部分（Ａ１）を図示のように一般製作工場等で汎用されている１０トン積み程度の普通トラックの荷台に積み込み可能な２．４ｍ未満程度の半月形等の形状の固定円盤５ａ，５ｂ等からなる小区画づつに分割されたものを先ず製作し、次でその現地発電所内における組み立ての段階で相互をネジ６等により連結して最終的に長大な円盤に再生する、分割組み立て型の固定円盤５ａ，５ｂを固定型作業テーブル部分（Ａ１）に螺装できるように構成したものである。しかし上記分割して螺装しただけの固定円盤５ａ，５ｂからなる固定型作業テーブル部分（Ａ１）は、そのままの構成では安全作業面を維持し難いので、その難点を助勢するために更に箱型の構造に製作された固定型支承体部分（Ｂ１）の上にこれを水平に固着するように構成したものである。
【０００８】
尚、上記固定円盤５ａ，５ｂからなる固定型作業テーブル部分（Ａ１）には、図示してないがその外周部に帯鉄等の薄板を円盤平面より少し高めに巻き付けて、該円盤上に搭載した部品や工具等の転落防止を図る安全部材等も容易に付設し得ることは勿論である。
【０００９】
次にまた本発明の固定型装置を構成する上記固定型作業テーブル部分（Ａ１）と固定型支承体部分（Ｂ１）とを上下一体に固着して前記発電機の固定子１側の機内空洞部を保守点検作業の手順に合せて上下方向に任意に昇降させる昇降機構部分（Ｃ）の場合も、これを図７に詳述するように前述の固定型作業テーブル部分（Ａ１）および固定型支承体部分（Ｂ１）の場合と同様に、その関係部材の製作工場からの運送作業や、その発電所内における組み立て作業に適応させるために、図示のように昇降推力数トン以下程度の複数台の、且つ複数段積み重ね可能のＸ型支柱タイプの小型油圧リフターからなる小型昇降機１７ａ，１７ｂ，１８ａ，１８ｂ，１９ａ，１９ｂを水車バレル３等の発電所内構築物の上に組み立てた分割可能な駕型の基礎機枠４の上に上下、左右に分散して配置すると共に、その複数台の、且つ複数段積み重ね可能のＸ型支柱タイプの小型油圧リフターからなる小型昇降機１７ａ，１７ｂ，１８ａ，１８ｂ，１９ａ，１９ｂを同時に昇降可能に、それぞれを制御回路で結んで連装するように構成したものである。
【００１０】
更にまた本発明装置の前記昇降機構部分（Ｃ）を構成する複数台の、且つ複数段積み重ね可能のＸ型支柱タイプの小型油圧リフターからなる小型昇降機１７ａ，１７ｂ，１８ａ，１８ｂ，１９ａ，１９ｂは、既設の水力発電所に設置されている立て軸型水車発電機の固定子１側機内の保守点検作業に必要な昇降ストロークに対応して、例えば図示のように２台づつを左右並列に配置したテーブル面積１ｍ×２ｍ程度、昇降ストローク１．２ｍ程度の小型油圧リフターを複数段、例えば保守点検作業の所要昇降ストローク３．５ｍ程度の場合に対応しては、前記昇降ストローク１．２ｍ程度の小型油圧リフターを３段重ねに積み重ねるように対応する（請求項３）と共に、その積み重ねによって惹起され易い全体の揺動現象には、図示のように左右のＸ型支柱の組み付け方向を各段毎に交互に直交させるように組み付けて、前記Ｘ型支柱の同一方向の組付けに起因する全体の揺動現象の拡大を抑制する（請求項４）ように構成したものである。
【００１１】
次に本発明の立て軸型水車発電機の保守点検用作業テーブル装置の請求項２に記載の主体発明の他の一つを構成する、「円周方向に回転可能な作業テーブルを上下方向にも昇降させる複合回転昇降機能の作業テーブル装置」の実施の一例を図８の側面図と図９の平面図に示す。図中（Ａ２）は回転型作業テーブル部分、（Ｂ２）は回転型支承体部分、（Ｃ）は前述の固定型の場合と同様機能の昇降機構部分、１も前述の固定型の場合に同じ立て軸型水車発電機の固定子、２も前述の固定型の場合に同じ立て軸型水車の主軸、３も前述の固定型の場合に同じ前記立て軸型水車の主軸２の周辺部にコンクリート等で構築されている水車バレル、４も前述の固定型の場合に同じ発電所内構築物の上に組み立てた駕型の基礎機枠である。また図１０および図１１は、前記回転型作業テーブル部分（Ａ２）の実施の一例を示す平面図と側面図であり、その構成は前述の固定型の場合と同様に半月形の回転円盤５ｃ，５ｄを分割組み立て可能にネジ６により螺装する他、その回転中心にはゴム等のクッション部材を放射状に配設した緩衡機構７を付設した回転中心軸８が装着されているものである。
【００１２】
尚、上記回転円盤５ｃ，５ｄからなる回転型作業テーブル部分（Ａ２）には、図示してないがその外周部に帯鉄等の薄板を円盤平面より少し高めに巻き付けて、該円盤上に搭載した部品や工具等の転落防止を図る安全部材等も容易に付設し得るのみならず、特にこの種の回転型作業テーブル部分（Ａ２）の場合は、その回転機能を有効に利用して発電機材の保守点検作業に付随する機材の切断、研摩、清掃、塗装等の補助作業を機械的に行う、電動加工機械等も搭載して連続的、能率的な作業形態のもとにこれを行い得ることは勿論である。
【００１３】
次にまた本発明装置の前記回転円盤５ｃ，５ｄからなる回転型作業テーブル部分（Ａ２）を回転自在に搭載する回転型支承体部分（Ｂ２）について、図１２および図１３によりこれを更に詳述すれば、上方に上述の回転型作業テーブル部分（Ａ２）を水平に搭載してこれを保守点検作業の手順に合せて円周方向に任意に回転させる前記回転型支承体部分（Ｂ２）の場合も、上述の回転型作業テーブル部分（Ａ２）の場合と同様に、その関係部材の製作工場からの運送作業や、その発電所内における組み立て作業に適応させるために、図示のようにギヤードモーター等からなる複数台の小型駆動機９ａ，９ｂ，９ｃを、例えば８角形等の形状に切り出した鉄板等を１０トン積み程度の普通トラックの荷台に積み込み可能な２．４ｍ未満程度の５角形等に切り離した支承盤１１ａ，１１ｂからなる小区画づつに分割された部材を先ず製作し、次でその組み立ての段階で相互をネジ１０等により連結して所要の支承面を形状できるように螺装した前記支承盤１１ａ，１１ｂの上に、他の支承コロ１２等の補助部材等も含めてその上方に搭載される前記回転型作業テーブル部分（Ａ２）の回転円周に沿うようにその回転中心軸８を支承する軸受１３から放射状に該小型駆動機９ａ，９ｂ，９ｃを分散して配置すると共に、その複数台の小型駆動機９ａ，９ｂ，９ｃを同時に回転可能に、それぞれを制御回路で結んで連装するように構成したものである。
【００１４】
更にまた上記複数台の小型駆動機９ａ，９ｂ，９ｃには、ギヤードモーター等の原動機１４にゴムタイヤ等の弾力性を有する摩擦駆動輪１５がそれぞれ軸装されておるばかりでなく、前記原動機１４に軸装した上記摩擦駆動輪１５には、前記回転型作業テーブル部分（Ａ２）を構成する回転円盤５ｃ，５ｄに常に存在し易い歪に対応して円滑な接触駆動作用を発揮させるために、上記摩擦駆動輪１５を上方の回転円盤５ｃ，５ｄ側へ若干持ち上げるようにして、上記回転円盤５ｃ，５ｄの歪をゴムタイヤ等の弾力によってその接触状態を調整できるように構成した斜め上方への移動可能な台座等を装備した接触調整機構１６を上記小型駆動機９ａ，９ｂ，９ｃのそれぞれに装着するように構成（請求項５）したものである。
【００１５】
次にまた本発明の回転型装置を構成する上記回転型作業テーブル部分（Ａ２）と回転型支承体部分（Ｂ２）とを上下一体に積み重ねて前記発電機の固定子１側の機内空洞部を保守点検作業の手順に合せて上下方向に任意に昇降させる前記昇降機構部分（Ｃ）の場合も、これを図１４に詳述するように、前述の固定型作業テーブル部分（Ａ１）や回転型作業テーブル部分（Ａ２）および固定型支承体部分（Ｂ１）や回転型支承体部分（Ｂ２）の場合と同様に、その関係部材の製作工場からの運送作業や、その発電所内における組み立て作業に適応させるために、図示のように昇降推力数トン以下程度の複数台の、且つ複数段積み重ね可能のＸ型支柱タイプの小型油圧リフターからなる小型昇降機１７ａ，１７ｂ，１８ａ，１８ｂ，１９ａ，１９ｂを水車バレル３等の発電所内構築物の上に組み立てた分割可能な駕型の基礎機枠の上に上下、左右に分散して配置すると共に、その複数台の小型昇降機１７ａ，１７ｂ，１８ａ，１８ｂ，１９ａ，１９ｂを同時に昇降可能に、それぞれを制御回路で結んで連装するように構成したものである。
【００１６】
尚、上述した複数台の、且つ複数段積み重ね可能のＸ型支柱タイプの小型油圧リフターからなる小型昇降機１７ａ，１７ｂ，１８ａ，１８ｂ，１９ａ，１９ｂを、保守点検作業の必要昇降ストロークに対応して、その積み重ね段数を調整すること（請求項３）や、その積み重ねによる全体の揺動現象の拡大を抑制するように対応させること（請求項４）等は、上述の固定型単一昇降機能の作業テーブル装置や、回転型複合回転昇降機能の作業テーブル装置の何れにも適用し得ることは勿論である。
【００１７】
【発明の効果】
本発明は以上に説明したように、立て軸型水車発電機の現地発電所内における保守点検作業に当り、該発電機の固定子側機内の空洞部に、固定型作業テーブル部分（Ａ１）や前記回転型作業テーブル部分（Ａ２）と、固定型支承体部分（Ｂ１）や回転型支承体部分（Ｂ２）とを、昇降機構部分（Ｃ）と共に発電機の固定子側の底部に位置する水車バレル等の発電所内構築物の上に組み立てた駕型の基礎機枠の上に積み重ねて構築したものの最上部となる前記固定型作業テーブル部分（Ａ１）や回転型作業テーブル部分（Ａ２）の上に作業員を搭乗させ、また発電機材の保守点検作業に必要な部品や工具等も搭載して所定の作業手順に合せて前記固定型作業テーブル部分（Ａ１）や前記回転型作業テーブル部分（Ａ２）を上下方向に任意に昇降させ、特に前記回転型作業テーブル部分（Ａ２）の場合はこれを更に円周方向にも任意に回転させることによって、終始手近かな足場からの連続形態の保守点検作業を安全、高能率に実施できる、立て軸型水車発電機に好適な分割組み立て型の保守点検用の作業テーブル装置に構成できたものであるから、従来工法のように水車バレル等の発電所内構築物の上に基盤用の角材や板材等を多数並べ、更にその上に多数の鉄パイプや踏み板等を任意に連結した程度の足場器材を発電機固定子側の機内空洞部に任意高さに組み立てて仮設した、固定状態の足場器材の周辺部一帯で、多数の作業員が作業手順に合せて器材上に都度上り下りしたり、都度器材の高さを調節したり、作業場所を移動したりして、上記発電機の固定子側機内の周辺部一帯にある多数の発電機械を入念に点検整備する保守点検作業は、固定的に仮設された状態での足場器材の上からでは著しく繁雑困難な作業形態となり、労働環境も悪く、作業能率も極めて低位なものとなる重大な不都合があったものを、本発明装置の導入による機械化、自動化によってこれを悉く払拭して、その労働環境の大幅改善と、作業能率の大幅向上と、作業日時の大幅短縮とを一挙に達成したばかりでなく、本発明装置の分割組み立て型の構成は、関係部材の製作工場からの運送作業や、発電所内における組み立て作業の際の、大きさによる障害を完全に排除することに成功したものであり、この種立て軸型水車発電機の現場発電所における保守点検作業の合理化に大きく寄与する成果を収め得たものであるが、特に此の場合本発明においては、昇降機構部分を複数台の、且つ複数段積み重ね可能のＸ型支柱タイプの小型油圧リフターからなる小型昇降機となすことにより、関係部材の製作工場からの運送作業や、発電所内における組み立て作業に容易に適応させることが出来るばかりでなく、既設の水利発電所に設置されている立て軸型水車発電機の固定予側機内の保守点検作業に必要な昇降ストロークに対応して、その積み重ね段数を適宜増減して対応することができると共に、その積み重ねによって惹起され易い全体の揺動現象には、各小型昇降機の左右のＸ型支柱の組み付け方向を各段毎に交亙に直交させるように組み付けて、前記Ｘ型支柱の同一方向の組み付けに起因する全体の揺動現象の拡大を抑制することができるので、前記固定型作業テーブル部分及び回転型作業テーブル部分の上昇、回転を円滑、且つ安定的に作動することができ、その結果保守点検作業を安全、且つ迅速に行うことができるものあり、また、回転型支承体部分による前記回転型作業テーブル部分の回転を前記回転型支承体部分の駆動軸に軸装されたゴムタイヤ等の弾力性を有する摩擦駆動輪を適宜上方へ持ち上げる接触調整機構を介して、前記回転型作業テーブル部分と前記摩擦駆動輪との接触駆動作用を調整可能としたので、前記回転型作業テーブル部分の回転を安定した状態で行うことができる等の効果を有するものである。
【図面の簡単な説明】
【図１】本発明の固定型単一昇降機能の作業テーブル装置全体の実施の一例を示す側面図である。
【図２】本発明の固定型単一昇降機能の作業テーブル装置全体の実施の一例を示す平面図である。
【図３】本発明の駕型の基礎機枠の実施の一例を示す側面図である。
【図４】本発明の駕型の基礎機枠の実施の一例を示す平面図である。
【図５】本発明の固定型作業テーブル部分（Ａ１）と固定型支承体部分（Ｂ１）の実施の一例を示す平面図である。
【図６】本発明の固定型作業テーブル部分（Ａ１）と固定型支承体部分（Ｂ１）の実施の一例を示す側面図である。
【図７】本発明の固定型作業テーブル部分（Ａ１）と固定型支承体部分（Ｂ１）を装着した昇降機構部分（Ｃ）を上昇させた時の実施の一例を示す側面図である。
【図８】本発明の回転型複合回転昇降機能の作業テーブル装置全体の実施の一例を示す側面図である。
【図９】本発明の回転型複合回転昇降機能の作業テーブル装置全体の実施の一例を示す平面図である。
【図１０】本発明の回転型作業テーブル部分（Ａ２）の実施の一例を示す平面図である。
【図１１】本発明の回転型作業テーブル部分（Ａ２）の実施の一例を示す側面図である。
【図１２】本発明の回転型支承体部分（Ｂ２）の実施の一例を示す平面図である。
【図１３】本発明の回転型支承体部分（Ｂ２）の実施の一例を示す側面図である。
【図１４】本発明の回転型作業テーブル部分（Ａ２）と回転型支承体部分（Ｂ２）を装着した昇降機構部分（Ｃ）を上昇させた時の実施の一例を示す側面図である。
【符号の説明】
Ａ１  固定型作業テーブル部分
Ａ２  回転型作業テーブル部分
Ｂ１  固定型支承体部分
Ｂ２  回転型支承体部分
Ｃ  昇降機構部分
１  立て軸型水車発電機の固定子
２  立て軸型水車の主軸
３  水車バレル
４  基礎機枠
５ａ  固定円盤
５ｂ  固定円盤
５ｃ  回転円盤
５ｄ  回転円盤
６  ネジ
７  緩衡機構
８  回軸中心軸
９ａ  小型駆動機
９ｂ  小型駆動機
９ｃ  小型駆動機
１０  ネジ
１１ａ  支承盤
１１ｂ  支承盤
１２  支承コロ
１３  軸受
１４  原動機
１５  摩擦駆動輪
１６  接触調整機構
１７ａ  小型昇降機
１７ｂ  小型昇降機
１８ａ  小型昇降機
１８ｂ  小型昇降機
１９ａ  小型昇降機
１９ｂ  小型昇降機
【図１】
0003674754.tif 000002
【図２】
0003674754.tif 000003
【図３】
0003674754.tif 000004
【図４】
0003674754.tif 000005
【図５】
0003674754.tif 000006
【図６】
0003674754.tif 000007
【図７】
0003674754.tif 000008
【図８】
0003674754.tif 000009
【図９】
0003674754.tif 000010
【図１０】
0003674754.tif 000011
【図１１】
0003674754.tif 000012
【図１２】
0003674754.tif 000013
【図１３】
0003674754.tif 000014
【図１４】
0003674754.tif 000015